(57)【要約】【課題】設定操作に不慣れなユーザであっても、楽に設定することができ、ユーザの使用頻度や好みに応じた外部入力を設定することで、外部入力選局時の操作キーの操作回数を減少することが可能な入力切換え装置の提供を目的とする。【解決手段】本発明に係るテレビジョン受信機は、複数の外部入力端子を備える。また、リモコン装置や操作パネル上の操作キーを連動して押圧することで、制御部２０が記憶されたデータベース４００に基づいて外部入力を順次切換える。また、制御部２０は、データベース４００上に記憶された各種履歴を参照して、操作キー８１の押圧により切換えされない外部入力を特定することができる。これにより、本発明に係るテレビジョン受信機１００は、ユーザの優先度の高い外部入力だけを、操作キーの連続押により切換えることができる。【選択図】図１
2008306255.tif 000002
【特許請求の範囲】
【請求項１】
異なる外部入力を受付ける複数の外部入力受付手段と、
前記外部入力の切換え順序を記憶する切換え順序記憶手段と、
操作キーの押圧に連動して、前記記憶された切換え順序に沿って外部入力を順次切換える外部入力切換え手段とを備える入力切換え装置において、
前記切換え順序記憶手段に記憶された外部入力の中から、切換え出力されない外部入力を特定する非切換え手段とを有することを特徴とする入力切換え装置。
【請求項２】
前記非切換え手段に特定された外部入力から、該外部入力の特徴を示す識別信号を受信した場合に、前記特定された外部入力に切換えるよう前記外部入力切換え手段に指示を出す特定信号切換え手段を有することを特徴とする請求項１に記載の入力切換え装置。
【請求項３】
前記外部入力切換え手段が切換えた外部入力の切換え履歴を記憶する切換え履歴記憶手段と、
記憶された前記切換え履歴に基づいて、前記切換え順序記憶手段に記憶された前記外部入力の切換え順序と、前記非切換え手段による外部入力の特定とを更新する切換え順序更新手段とを有することを特徴とする請求項１または請求項２のいずれかに記載の入力切換え装置。
【請求項４】
前記切換え履歴記憶手段が記憶する切換え履歴は、外部入力が切換えされた回数であることを特徴とする請求項３に記載の入力切換え装置。
【請求項５】
前記切換え履歴記憶手段が記憶する切換え履歴は、外部入力の累積実行時間であることを特徴とする請求項３に記載の入力切換え装置。
【請求項６】
本入力切換え装置は、テレビジョン受信機内に実装されるとともに、
前記切換え順序記憶手段は、不揮発性記録媒体に記録されるデータベースであって、
前記外部入力切換え手段と、前記非切換え手段とはＣＰＵを備えた制御部により実現され、
前記データベースは、外部入力の切換え履歴を記憶すると共に、各外部入力が切換え対象であるか否かを示すフラグを記憶し、
前記制御部は、記憶された前記切換え履歴に基づいて、前記データベースに記憶された外部入力の切換え順序と、前記フラグとを更新し、
前記データベース上で非切換え対象と特定された外部入力から、該外部入力の特徴を示す識別信号を受信した場合に、前記制御部が前記特定された外部入力に切換えるよう指示を出すことを特徴とする請求項１に記載の入力切換え装置。
【発明の詳細な説明】
【技術分野】
【０００１】
本発明は、複数の外部入力を切換え可能な入力切換え装置に関し、特に、操作キーの簡単な操作により外部入力の切換えを切換えることが可能な入力切換え装置に関するものである。
【背景技術】
【０００２】
入力切換え装置とは、接続された複数の外部入力からの入力を切換えて出力するための装置である。入力切換え装置は、例えばテレビジョン受信機内に実装され、外部機器から入力された信号を切換え選択出力させる。入力切換え装置は、外部入力を受付けるインターフェースと、インターフェースを介して入力された外部入力を切換えする切換え手段と、外部入力の切換え順序を記憶する記憶手段とを備えている。このような入力切換え装置では、リモコン装置等の操作キーの押圧に連動して、切換え手段が記憶手段に記憶された切換え順序に基づいて外部入力を順次切換える。そのため、記憶手段に記憶された切換え順序が下位の外部入力を選択する場合は、該外部入力が選択されるまで操作キーを押し続ける必要が生じる。そのため、外部入力が複数存在する場合、ユーザは所要の外部入力を切換えるまで時間が掛かっていた。
【０００３】
上述した問題を解決するために、記憶手段に予め異なる切換え順序（トグルループ）を記憶しておき、ユーザが複数のトグルループの中から特定のトグルループを切換える技術が開示されている（例えば、特許文献１参照。）。
このような技術では、ユーザが複数のトグルループの中から所要のものを選択することにより、切換えキーの押圧に連動した外部入力を設定することができる。
【０００４】
また、同様の問題を解決するために、外部入力を受付ける優先順位を予め設定しておき、設定された優先順位に基づいて外部入力を切換える技術が開示されている（例えば、特許文献２参照。）。
このような技術では、ユーザの所要に応じた外部切換えの順序を設定することができる。
【特許文献１】特開平８−３２１９９７号公報
【特許文献２】特開２００５−１０２００２号公報
【発明の開示】
【発明が解決しようとする課題】
【０００５】
上述した特許文献１又は２の発明は、次のような課題があった。つまり、ユーザの使用頻度や好みに応じた外部入力を設定を行なうことが難しかった。
【０００６】
本発明は、上記課題にかんがみてなされたもので、設定操作に不慣れなユーザであっても、楽に設定することができ、且つユーザの使用頻度や好みに応じた外部入力を設定を行なうことで、外部入力選局時の操作キーの操作回数を減少することが可能な入力切換え装置の提供を目的とする。
【課題を解決するための手段】
【０００７】
上記課題を解決するために、本発明の請求項１にかかる発明では、異なる外部入力を受付ける複数の外部入力受付手段と、前記外部入力の切換え順序を記憶する切換え順序記憶手段と、操作キーの押圧に連動して、前記記憶された切換え順序に沿って外部入力を順次切換える外部入力切換え手段とを備える入力切換え装置において、前記切換え順序記憶手段に記憶された外部入力の中から、切換え出力されない外部入力を特定する非切換え手段とを有する構成としてある。
【０００８】
このような構成により、本発明では非切換え手段が特定した外部入力は、外部入力切換え手段により切換え対象とされない。このため、ユーザが予め切換えをしない外部入力を設定しておくことで、操作キーを押圧しても設定された外部入力を飛ばして他の外部入力が切換えされる。そのため、設定操作に不慣れなユーザであっても、切換える必要のない外部入力を設定しておくだけで設定が完了される。これによりユーザの使用頻度や好みに応じた外部入力を設定を行なうことができる。また、設定後は、操作キーの押圧により必要な外部入力だけ切換えされるため簡単に切換え操作を行うことができる。
【０００９】
ここで、非切換え手段により非切換えと特定された外部入力は、操作キーの連続押では切換えできなくなる。そこで、切換え対象から外れた外部入力からの信号を出力させたい場合、その外部入力から出力された識別信号に基づいて、上記外部入力を切換えるようにすることで、上記問題を解決することができる。そのため、本発明では、前記非切換え手段に特定された外部入力から、該外部入力の特徴を示す識別信号を受信した場合に、前記特定された外部入力に切換えるよう前記外部入力切換え手段に指示を出す特定信号切換え手段を有する構成としてもよい。 
このような構成により、非切換え手段により特定された外部入力であっても、操作キーの操作に関連しない方法により特定された外部入力を切換えて出力することができる。  ここで、識別信号とは、各外部入力の種類を特定するものである。その一例として外部機器から出力されるコントロール信号がある。
【００１０】
また、非切換え手段による外部入力の設定は、ユーザが直接設定を行う方法に限定されず、予め設定条件を設けておき、その設定条件を満たした場合に自動で切換えから除外するものであってもよい。そのため、本発明では、前記外部入力切換え手段が切換えた外部入力の切換え履歴を記憶する切換え履歴記憶手段と、記憶された前記切換え履歴に基づいて、前記切換え順序記憶手段に記憶された前記外部入力の切換え順序と、前記非切換え手段による外部入力の特定とを更新する切換え順序更新手段とを有する構成としてある。    ここで、操作履歴の更新とは、切換え順序の入替え、非切換え手段による非切換えの特定を意味している。これにより切換え頻度が高い外部入力を自動で切換え順序の早いものに設定するため、ユーザは外部入力の切換え設定を行う必要がなくなる。
【００１１】
そして、参照される切換えとしては様々なものが想定することができる。そのため、本発明では、切換え履歴記憶手段が記憶する切換え履歴は、外部入力が切換えされた回数である構成としてもよい。
上記構成により、外部入力が切換えされた回数により非切換え切換え手段による特定が行なわれるため、使用頻度に応じた外部入力の優先順序を設定することができる。
【００１２】
さらに、切換え履歴記憶手段が記憶する切換え履歴は、外部入力の累積実行時間であってもよい。これにより、累積実行時間に応じた優先順序を設定することができる。
【００１３】
そして、本発明は、入力切換え装置を実装する製品であれば何にでも適応することができる。そのため、本入力切換え装置は、テレビジョン受信機内に実装されるとともに、前記切換え順序記憶手段は、不揮発性記録媒体に記録されるデータベースであって、前記外部入力切換え手段と、前記非切換え手段とはＣＰＵを備えた制御部により実現され、前記データベースは、外部入力の切換え履歴を記憶すると共に、各外部入力が切換え対象であるか否かを示すフラグを記憶し、前記制御部は、記憶された前記切換え履歴に基づいて、前記データベースに記憶された外部入力の切換え順序と、前記フラグとを更新し、前記データベース上で非切換え対象と特定された外部入力から、該外部入力の特徴を示す識別信号を受信した場合に、前記制御部が前記特定された外部入力に切換えるよう指示を出す構成としてもよい。
【発明の効果】
【００１４】
以上説明したように本発明によれば、設定操作に不慣れなユーザであっても簡易な設定方法により、ユーザの使用頻度や好みに応じた外部入力を設定を行なうことができ、外部入力選択時の操作キーの操作回数を減少させることができる。
また請求項２にかかる発明によれば、非切換え手段により特定された外部入力であっても、操作キーの操作に関連しない方法により特定された外部入力を切換えて出力することができる。が可能となる。
そして請求項３にかかる発明によれば、ユーザは外部入力の切換え設定を行う必要がなくなる。
さらに請求項４にかかる発明によれば、使用頻度に応じた外部入力の優先順序を設定することができる。
また請求項５にかかる発明によれば、累積実行時間に応じた優先順序を設定することができる。
さらに請求項６のような、より具体的な構成において、上述した請求項２〜請求項５の各発明と同様の作用を奏することはいうまでもない。
【発明を実施するための最良の形態】
【００１５】
以下、下記の順序に従って本発明の実施形態を説明する。
（１）テレビジョン受信機の構成
（２）実施例１
（３）実施例２
（４）各種変形例
（５）まとめ
【００１６】
（１）テレビジョン受信機の構成 
本発明に係るテレビジョン受信機は、図１に示すように、複数の入力端子（外部入力受付手段）によって異なる外部入力から出力される信号を受付けることができる。この複数の入力端子は、図２（ａ）に示すように、リモコン装置や操作パネル上の操作キーを連動して押圧することで、制御部（外部入力切換え手段、非切換え手段）が予め登録された切換え順序に沿って順次切換えられる。ここで、制御部は、記憶されたデータベース（切換え順序記憶手段）に従って外部入力を順次切換える。また、制御部はデータベース上に記憶された各種履歴（履歴記憶手段）を参照して、操作キーの押圧により切換え対象とされない外部入力を特定することができる。これにより、本発明に係るテレビジョン受信機は、ユーザの優先度の高い外部入力だけを、操作キーの連続押により切換えることができる。
【００１７】
図１に示すように、テレビジョン受信機１００は、受像機９０とリモコン装置８０とから構成されている。受像機９０はアンテナ２００が受信したテレビジョン放送信号から所要の周波数帯を受信して、映像信号と音声信号とを取り出すチューナモジュール９１と、取り出された映像信号を一時的に記憶するメモリ９２と、テレビジョン受信機１００の駆動を制御する制御部２０と、メモリ９２に記憶された映像信号に所定の信号処理を施すディジタル回路９３と、音声を出力する音声出力部９４と、画像を表示するディスプレイ９５と、外部機器からの外部入力を受付ける各入力端子３０，３１，３２と、入力の切換えを行う切換え部１１，１２，１３と、リモコン装置８０からの操作を受付けるリモコン受信部４０と、メニュー画面を映像信号に重畳するＯＳＤ回路５０とを備えている。
【００１８】
テレビジョン受信機１００は、リモコン装置８０の操作により所要のチャンネルが選局されると、リモコン受信部４０がその選局に対応した制御信号を受信する。そしてリモコン受信部４０は制御部２０に制御信号を出力し、制御部２０は選局されたチャンネルに対応した周波数帯を検波するようチューナモジュールに命令する。次に、チューナモジュール９１は検波したテレビジョン放送信号をデコードして映像信号と音声信号とを取り出す。取り出された映像信号はメモリ９２に一時記憶され、ディジタル回路９３により所定の信号処理を施される。その後、映像信号は、ディスプレイ９５に出力され、音声信号は音声出力部９４に出力される。また、リモコン装置８０の外部入力切換えキー８１が押圧されると、制御部２０は、予め記憶された順序に従って、各切換え部１１，１２，１３を切換え、外部機器から入力された信号を切換える。また、テレビジョン受信機１００はＯＳＤ回路５０に記憶されたＯＳＤデータをメモリ９２に記憶された映像信号に重畳させることで、画面上にメニュー画面を表示させることができる。
【００１９】
テレビジョン受信機１００は複数の入力端子を備えている。本発明に係るテレビジョン受信機１００が備える入力端子の一例として、再生装置等の映像や音声の入力を受付ける第一外部入力端子３０と、２１ピンマルチコネクタに接続可能な外部機器からの接続を受付ける第二外部入力端子３１と、８ピンコネクターと接続可能なパーソナルコンピュータ等の外部機器と接続可能な第三外部入力端子３２とから構成されている。また、第一外部入力端子３０とチューナモジュールの出力端子はそれぞれモード切換え部１１と接続されている。同様に、第二外部入力端子３１とモード切換え部１１とはＡＶ切換え部１２に接続され、第三外部入力端子３２とＡＶ切換え部１２の出力とはＲＧＢ切換え部１３と接続されている。これにより、制御部２０の制御により各切換え部は入力信号の切換えを行う。
【００２０】
制御部２０は、テレビジョン受信機１００の駆動を制御する。制御部２０は、演算中枢としてのＣＰＵ２１と、各種プログラムが記憶されたマスクＲＯＭ２３と、書き換え可能なデータベースが記憶されたＥＥＰＲＯＭ２４と、ＣＰＵ２１がデータベースやプログラムを展開するＲＡＭ２２とから構成されている。マスクＲＯＭ２３には、ＣＰＵ２１がテレビジョン受信機１００の駆動を制御するための制御プログラム３００や、外部入力端子の切換えを各切換え部に命令するための外部入力切換えプログラム３０１や、データベースを更新するための履歴更新プログラム３０２とが記憶されている。また、ＥＥＰＲＯＭ２４には、ＣＰＵ２１が各外部入力の切換え順序を参照するための履歴テーブル４００が記憶されている。
【００２１】
図３は、マスクＲＯＭ２３に記憶された外部入力切換えプログラム３０１を表すフローチャートである。リモコン装置８０の外部入力切換えキー８１が押圧されると、制御部２０はマスクＲＯＭ２３に記憶された外部入力切換えプログラム３０１を読み出し、ＲＡＭ２２上に展開する。外部入力切換えプログラム３０１は、外部入力切換えキー８１の押圧に応じて、ＣＰＵ２１が各切換え部に外部入力を切換えさせるためのプログラムである。次に、ＣＰＵ２１はＥＥＰＲＯＭ２４上に記憶されたデータベースを参照する（ステップＳ１００）。このとき、ＣＰＵ２１はデータベース上で各外部入力が選択可能であるかを判断する（ステップＳ１１０）。判断の一例として、データベース上で切換え対象であることを示すフラグが１である場合は、その外部入力を切換え対象とすればよい。さらに、ＣＰＵ２１は、データベースを参照しながら、各外部入力切換え部に切換え命令を出す（ステップＳ１２０）。これにより、各外部入力切換え部は、出力する信号を切換える。
【００２２】
ステップＳ１２０でＣＰＵ２１が各外部入力を切換える順序としては以下の通りである。本テレビジョン受信機１００では、一例として外部入力としてＶＩＤＥＯ１、ＶＩＤＥＯ２、Ｃｏｍｐｏｎｅｎｔ１、Ｃｏｍｐｏｎｅｎｔ２、ＨＤＭＩ１、ＨＤＭＩ２、ＰＣとを受付けることが可能である。そのため、テレビジョン受信機１００でＶＩＤＥＯ１，ＶＩＤＥＯ２と表示させる場合は、ＣＰＵ２１はモード切換え部１１を制御して、チューナモジュール９１から第一外部入力端子３０へ切換えを行う。また、Ｃｏｍｐｏｎｅｎｔ１，Ｃｏｍｐｏｎｅｎｔ２を選択する場合は、モード切換え部１１及びＡＶ切換え部１２とを制御して、第二外部入力端子３１からの信号を入力させる。さらに、ＨＤＭＩ１，ＨＤＭＩ２及びＰＣとを選択する場合は、ＲＧＢ切換え部１３を制御して、第三外部入力端子３２からの信号を入力させる。
【００２３】
また、データベース上で外部入力が選択可能でない場合は、ＣＰＵ２１は該外部入力から映像信号等が入力されているかを判断する（ステップＳ１３０）。このとき、外部入力端子から映像又は音声信号が出力されているかを確認する方法としては、各外部入力端子を介して外部機器から入力されるコントロール信号を検出するものであってもよいし、映像信号や音声信号を直接検出するものであってもよい。これにより制御部２０は特定信号切換え手段を構成する。
【００２４】
（２）実施例１
以下に、本テレビジョン受信機１００を使用した実施の形態を説明する。この実施例では、ユーザが予め外部入力切換えキー８１の押圧により選択される各外部入力を設定しておくものである。そのため、ユーザが外部入力切換えキー８１を操作すると、各キーの押圧に応じて設定された外部入力だけが選択される。これにより画面上には選択された外部入力が表示される。
【００２５】
テレビジョン受信機１００は、図２（ａ）に示すように、ＶＩＤＥＯ１、ＶＩＤＥＯ２、Ｃｏｍｐｏｎｅｎｔ１、Ｃｏｍｐｏｎｅｎｔ２、ＨＤＭＩ１、ＨＤＭＩ２、ＰＣの各外部入力を切換え可能であるものとする。これを、図２（ｂ）に示すように、ＶＩＤＥＯ１、ＶＩＤＥＯ２、Ｃｏｍｐｏｎｅｎｔ１、Ｃｏｍｐｏｎｅｎｔ２、ＨＤＭＩ１と切換えるようにする場合、ユーザは以下の手順でテレビジョン受信機１００の設定を行う。まず、ユーザは、例えばリモコン装置８０を操作して受像機９０の画面上にメニュー画面を表示させる。次に、ユーザは、メニュー画面上でＥＥＰＲＯＭ２４に記憶されたデータベースに基づいた画面を表示させて、画面上で切換え対象となる外部入力を選択していく。このとき、切換えの対象としない外部入力を選択するものであってもよい。その後、決定キーが押圧されると、ＣＰＵ２１は、画面上で更新されたデータベースを参照してＥＥＰＲＯＭ２４に記憶された実際のデータベースを書き換える。その後、外部入力切換えキー８１を順次押圧することにより、ＣＰＵ２１は図３に示した外部入力切換えプログラム３０１に沿って外部入力の切換えを命令する。これにより、外部入力切換えキー８１を押圧するごとに、図２（ｂ）に示す順序で各外部入力を切換えていく。
【００２６】
（３）実施例２
以下に、本テレビジョン受信機１００を使用した他の実施の形態を説明する。この実施例では、ＣＰＵ２１が参照するデータベースは、各外部入力の使用毎に自動で更新されるものである。更新されるデータベースの履歴の一例としては、外部入力の使用回数又は使用時間である。この更新されたデータベースに基づいてＣＰＵ２１は、外部入力の切換え対象を変更していく。その後、外部入力切換えキー８１が押圧されると、ＣＰＵ２１は更新されたデータベースに基づいて外部入力を切換え選択を行なう。
【００２７】
本発明に係るＥＥＰＲＯＭ２４には、データベースとして図４に示す履歴テーブルが記憶されている。履歴テーブルには、外部入力の選択順序を示すコード番号と、各外部入力の名称と、更新される履歴情報として外部入力の選択回数と外部入力の実行時間とが記憶されている。ＣＰＵ２１は各外部入力が選択されると、図５に示す履歴更新プログラムに従って履歴テーブルを更新する。ここで、各外部入力の選択回数とは外部入力が何回選択されたかを示すものである。回数のカウント方法としては、外部機器から出力されるコントロール信号及び映像／音声信号の入力を基にカウントを行う。また、外部入力の実行時間とは、各外部入力が何時間使用されたかを示すものである。実行時間のカウント方法としては、例えば、コントロール信号や映像／音声信号の入力時間に基づいてカウントを行うものとする。
【００２８】
選択された外部入力端子に接続された外部機器から信号が入力されると、ＣＰＵ２１は履歴テーブル４００の履歴項目を更新する。具体的には、各外部入力端子を介して外部機器から信号が出力されると、ＣＰＵ２１はマスクＲＯＭ２３上に記憶された履歴更新プログラム３０２を読み出しＲＡＭ２２に展開する。そして、ＣＰＵ２１はＥＥＰＲＯＭ２４に記憶された履歴テーブル４００を参照し（ステップＳ２００）、各履歴情報を更新する（ステップＳ２１０）。次に、ＣＰＵ２１は、履歴テーブル４００に記憶された各履歴情報を所定のしきい値Ｔと比較する（ステップＳ２２０）。具体的には、ＣＰＵ２１が参照する履歴情報が外部入力の使用回数である場合は、所定の回数を表すしきい値Ｔｍと使用回数を示す履歴情報とを比較する。このとき、履歴情報がしきい値Ｔｍより小さい場合は、履歴テーブルに記憶されたフラグを更新して、対応する外部入力を切換え対象から外す。無論、予め切換え対象外である場合は、フラグは変更されない。また、ステップＳ２２０で、履歴情報がしきい値Ｔｍより大きい場合は、フラグを変更しない。その後、ＣＰＵ２１は、内部カウンタ内に記憶されたジョブ番号ｎを１繰り上げる（ステップＳ２４０）。さらに、ＣＰＵ２１は内部カウンタのジョブ番号ｎと総ジョブ数Ｎとを比較する（ステップＳ２５０）。内部カウンタの数ｎが総ジョブ数Ｎ以下の場合、ＣＰＵ２１はステップＳ２２０に戻り、同様の処理を繰り返す。その後、内部カウンタの数ｎが総ジョブ数Ｎと同数となれば、ＣＰＵ２１は処理を終了する。
【００２９】
上述した履歴テーブルの更新の後、ユーザが切換えキー８１を連続押すると、テレビジョン受信機１００の画面上では、自動で更新された履歴テーブルに基づいて各外部入力が切換えられる。ここで、しきい値Ｔｍ＝２０である場合、図４に示す履歴テーブル上で、ＨＤＭＩ１と、ＨＤＭＩ２とＰＣとが切換え対象から外れ、ＶＩＤＥＯ１、ＶＩＤＥＯ２、Ｃｏｍｐｏｎｅｎｔ１、Ｃｏｍｐｏｎｅｎｔ２だけが切換え対象となる。そのため、ユーザが外部入力切換えキー８１を連続押しすると、ＶＩＤＥＯ１、ＶＩＤＥＯ２、Ｃｏｍｐｏｎｅｎｔ１、Ｃｏｍｐｏｎｅｎｔ２の順番で各外部入力が表示される。これにより、使用頻度の高い外部入力だけを切換えることができるとともに、外部入力の切換え対象をユーザ側で設定してやる必要がなく、煩雑な設定操作からも開放されることとなる。
【００３０】
（４）各種変形例
本発明に係るテレビジョン受信機１００には様々な変形例が存在する。
上述した、履歴テーブルを自動で更新するに際し、履歴情報に基づいて外部入力の順番を並べ替えるものであってもよい。図６に示すように、本変形例では、使用回数の降順に従って、履歴テーブルに記憶された外部入力を並び替えていく。そして、外部入力切換えキー８１を連続押しすると、ＣＰＵ２１は並べ替えられた順序に従って外部入力を切換えていく。そのため、外部入力の切換え順序を使用頻度に応じたものとすることができる。また、本変形例を実施例２の技術と組み合わせることで、ユーザの使用頻度に応じた順番で、使用頻度に応じた外部入力だけを選択することが可能となる。無論、これにより外部入力キーの押圧回数が減少することも言うまでもない。
【００３１】
（５）まとめ
本発明に係るテレビジョン受信機は、複数の外部入力端子（外部入力受付手段）によって異なる外部入力から出力されるデータを受付けることができる。この複数の外部入力端子は、リモコン装置や操作パネル上の操作キーを連動して押圧することで、制御部が予め登録された切換え順序に沿って順次切換えられる。ここで、制御部は、記憶されたデータベースに従って外部入力を順次切換える。また、制御部は、データベース上に記憶された各種履歴を参照して、操作キーの押圧により切換えされない外部入力を特定することができる。これにより、本発明に係るテレビジョン受信機は、ユーザの優先度の高い外部入力だけを、操作キーの連続押により切換えることができる。
【００３２】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００３３】
【図１】テレビジョン受信機のブロック構成図である。
【図２】外部入力の切換えを示すイメージ図である。
【図３】記憶された外部入力切換えプログラムを表すフローチャートである。
【図４】一例としての履歴テーブルを示す図である。
【図５】記憶された履歴更新プログラムを表すフローチャートである。
【図６】一例としての履歴テーブルを示す図である。
【符号の説明】
【００３４】
１１…モード切換え部、１２…ＡＶ切換え部、１３…ＲＧＢ切換え部、２０…制御部、２１…ＣＰＵ、２２…ＲＡＭ、２３…マスクＲＯＭ、２４…ＥＥＰＲＯＭ、３０…第一外部入力端子、３１…第二外部入力端子、３２…第三外部入力端子、４０…リモコン受信部、５０…ＯＳＤ回路、８０…リモコン装置、８１…外部入力切換えキー、１００…テレビジョン受信機、２００…アンテナ、３００…制御プログラム、３０１…外部入力切換えプログラム、３０２…履歴更新プログラム、４００…履歴テーブル
【図１】
2008306255.tif 000003
【図２】
2008306255.tif 000004
【図３】
2008306255.tif 000005
【図４】
2008306255.tif 000006
【図５】
2008306255.tif 000007
【図６】
2008306255.tif 000008